(57)【要約】【課題】透光性を有するシェード内に反射体を配置した照明器具において、シェードに対する反射体の大きさを従来よりも大きくしても、シェード内面を均一に照射でき、天井を十分な明るさで照明することができるようにすること。【解決手段】透光性を有するシェード１０と、シェード１０内に配置される反射体２０と、発光部分が反射体内に配置される光源ランプ３０とを備える照明器具である。反射体２０は、上下に間隔を開けて配置される複数の反射板２１〜２５を備えて、その外郭形状が全体として笠状に形成され、各反射板２１〜２５は、平面状で傾斜した複数の反射面２１ａ〜２５ａを組み合わせて切頭円錐状のリング形態に形成され、各反射面２１ａ〜２５ａは、その先端に立ち上がり面２１ｂ〜２５ｂを有する。立ち上がり面２１ｂ〜２５ｂが、反射板２１〜２５によってシェード１０内面に生じる影の部分に光が当たるように光源ランプ３０からの光を反射する。【選択図】図１
2012150922.tif 000002
【特許請求の範囲】
【請求項１】
透光性を有するシェードと、シェード内に配置される反射体と、発光部分が反射体内に配置される光源ランプとを備える照明器具において、
反射体は、上下に間隔を開けて配置される複数の反射板を備えて、その外郭形状が全体として笠状に形成され、
各反射板は、平面状で傾斜した複数の反射面を組み合わせて切頭円錐状のリング形態に形成され、
各反射面は、その先端に立ち上がり面を有し、
前記立ち上がり面が、反射板によってシェード内面に生じる影の部分に光が当たるように光源ランプからの光を反射することを特徴とする照明器具。
【請求項２】
各反射板を構成する反射面の傾斜角度がそれぞれ異なっている請求項１に記載の照明器具。
【請求項３】
各反射板の横断面形状が１４角形〜２４角形である請求項１又は２に記載の照明器具。
【請求項４】
光源ランプの上端部分を支持するランプ支持体が、最上段の反射板の上方に間隔を開けて配置されている請求項１〜３のいずれかに記載の照明器具。
【発明の詳細な説明】
【技術分野】
【０００１】
本発明は、建屋の天井近傍に設置される照明器具に関する。
【背景技術】
【０００２】
建屋の天井近傍に、例えば天井に吊り下げられて設置される照明器具には、建屋の床面を照明することはもちろんのこと、ある程度の明るさで天井を照明することが要求される場合がある。この場合、従来一般的には、透光性のあるシェードを使用して、そのシェード内に光源ランプを配置し、シェードを透過する光によって天井を照明するようにしていた。
【０００３】
ところが、透光性のあるシェード内に光源ランプを配置した照明器具では、建屋の床面の照明効率が上がらないため、建屋の床面を十分な明るさで照明するには大出力の光源ランプを使用する必要があり、省エネルギーの点で改善が求められている。
【０００４】
そこで、本願出願人は、特許文献１で開示した反射体を利用した照明器具の使用を試みた。その照明器具を図４に示す。
【０００５】
図４において、透光性を有するシェード１０内に笠状の反射体６０が配置されており、反射体６０内に光源ランプ３０が配置されている。反射体２０は、その内面が、それぞれ傾斜角度の異なる上下３段の傾斜部６１〜６３から形成されている。そして、各傾斜部６１〜６３が複数の平面の組み合わせにより形成され、光源ランプ３０からの光を各傾斜部６１〜６３の平面によってそれぞれ異なる方向に反射させる。このような反射体２０を使用することにより、建屋の床面の照明効率を格段に向上させることができ、光源ランプの小出力化が可能である。
【０００６】
一方、図４に示す照明器具においては、天井を照明するために、光源ランプ３０の光が反射体６０の上方から透過するように反射体６０の上端面を開口させている。すなわち、これによりシェード１０の上部を明るくして天井を照明しようとしている。ただし、これだけでは天井の照明には不十分であるため、反射体６０の下端面をシェード１０の下端面よりも上方に位置させることで、光源ランプ３０の光でシェード１０の下部も照射している。さらに、シェード１０の上部及び下部を照らす光が乱反射してシェード１０の中間部も明るくするように、シェード１０の内面と反射体２０の外面との間に所定の間隔を開けている。
【０００７】
このように図４に示す照明器具では、シェード１０内面を照射して天井を照明するために、反射体６０をシェード１０よりも相当に小さく形成せざるを得ない。したがって、反射体６０に装着できる光源ランプ３０の大きさに制約があり、大型の光源ランプが使用できない。結果として、照明器具としての汎用性に劣ることから、さらなる改善が必要となっていた。
【先行技術文献】
【特許文献】
【０００８】
【特許文献１】特開２００５−３４６９６８号公報
【発明の概要】
【発明が解決しようとする課題】
【０００９】
本発明が解決しようとする課題は、透光性を有するシェード内に反射体を配置した照明器具において、シェードに対する反射体の大きさを従来よりも大きくしても、シェード内面を均一に照射でき、天井を十分な明るさで照明することができるようにすることにある。
【課題を解決するための手段】
【００１０】
透光性を有するシェードと、シェード内に配置される反射体と、発光部分が反射体内に配置される光源ランプとを備える照明器具において、反射体は、上下に間隔を開けて配置される複数の反射板を備えて、その外郭形状が全体として笠状に形成され、各反射板は、平面状で傾斜した複数の反射面を組み合わせて切頭円錐状のリング形態に形成され、各反射面は、その先端に立ち上がり面を有し、前記立ち上がり面が、反射板によってシェード内面に生じる影の部分に光が当たるように光源ランプからの光を反射することを特徴とする。
【００１１】
なお、本発明において「影」とは、相対的に照度が低い部分を含む概念である。また、「立ち上がり面」とは、その面の向きは、水平より上方である必要はなく、反射面の傾斜方向に対して上方に立ち上がっていればよい。
【発明の効果】
【００１２】
本発明によれば、複数の反射板を上下に間隔を開けて配置しているので、反射板どうしの間から光が出てシェード内面を照射する。シェード内面には各反射板による影が生じるが、本発明では、複数の反射板の上下の反射面で光が多重反射し、その反射光が反射板どうしの間からあらゆる方向に出るので、光源ランプからの直射光が当たらない影の部分も照射される。さらに、本発明では、反射板を構成する反射面の先端に立ち上がり面を設けており、この立ち上がり面が、上記影の部分に光が当たるように光源ランプからの光を反射する。これによって、シェード内面を均一に照射でき、天井を十分な明るさで照明することができる。
【００１３】
また、本発明では、上述のとおり、反射板どうしの間から出た直射光、並びに反射面及びその先端の立ち上がり面で反射される反射光によりシェード内面を照射するので、シェードに対する反射体の大きさを従来よりも大きくしても、問題なくシェード内面を均一に照射できる。したがって、必要に応じて従来よりも大型の光源ランプを使用することができるので、照明器具としての汎用性も向上する。
【図面の簡単な説明】
【００１４】
【図１】本発明の照明器具の一例を示す断面図である。
【図２】図１の照明器具に使用した反射体を示し、（ａ）は斜視図、（ｂ）は正面図である。
【図３】図１の照明器具における光の反射方向を示す図である。
【図４】従来の照明器具を示す断面図である。
【発明を実施するための形態】
【００１５】
以下図面に示す実施例に基づき本発明の実施の形態を説明する。
【００１６】
図１は本発明の照明器具の一例を示す断面図、図２は図１の照明器具に使用した反射体を示し、（ａ）は斜視図、（ｂ）は正面図である。
【００１７】
図１に示す照明器具は、シェード１０と、シェード１０内に配置される反射体２０と、発光部分が反射体２０内に配置される光源ランプ３０とを備え、吊り具５０を使用して天井に吊り下げられて使用される。光源ランプ３０は、その上端部分をランプ支持体４０により支持されている。シェード１０はポリカーボネート、ガラス等により形成されることで、透光性を有する。
【００１８】
図１及び図２に示すように、反射体２０は、上下に間隔を開けて配置された５枚の反射板２１〜２５を備えている。各反射板２１〜２５は、平面状で傾斜した複数の反射面２１ａ〜２５ａを組み合わせて切頭円錐状のリング形態に形成されている。これらの反射板２１〜２５を連結具２６で連結することで、反射体２０は、その外郭形状が全体として笠状に形成される。
【００１９】
各反射面２１ａ〜２５ａは、その先端に立ち上がり面２１ｂ〜２５ｂを有する。後述するように、立ち上がり面２１ｂ〜２５ｂが、反射板２０によってシェード１０内面に生じる影の部分に光が当たるように光源ランプ３０からの光を反射する。
【００２０】
本実施形態において各反射板２１〜２５の横断面形状は正１６角形である。本発明において各反射板の横断面形状は、正１４角形〜正２４角形にすることが好ましく、正１６角形〜正２４角形にすることがより好ましい。各反射板の横断面形状が１４角形未満であると、反射板の各反射面の大きさが大きくなり、しかも各反射面による反射光の反射方向の違いが大きくなるので、均一に光を反射することが難しくなる。一方、各反射板の横断面形状が２４角形を超えると、反射板内部において反射しすぎて遠方に光を飛ばす力が損なわれるので、遠方まで照明した場合には好ましくない。
【００２１】
また、最下段の反射板２５において、その反射面２５ａが傾斜角度の異なる上下２段の反射面により形成されてように、本発明では反射板の反射面の傾斜角度は単一である必要はないが、本実施形態のように、各反射板２１〜２５を構成する反射面２１ａ〜２５ａの傾斜角度はそれぞれ異なるようにすることが好ましい。これにより、光源ランプ３０からの光を様々な方向に反射でき、均一な照明を得ることができる。
【００２２】
また、本実施形態において、光源ランプ３０の上端部分を支持するランプ支持体４０の一部を構成する天板４１は、最上段の反射板２１に間隔を開けて配置され、反射体２０と一体的に構成されている。天板４１の下面は光源ランプ３０からの光を反射する反射面として作用する。
【００２３】
図３は図１の照明器具における反射板先端の立ち上がり面による光の反射方向を示す図である。なお、図３に示す照明器具は図１の照明器具と同一であるので、図３では各部材を示す符号は省略している。
【００２４】
図１の照明器具では、反射板２１〜２５を上下に間隔を開けて配置しているので、反射板２１〜２５どうしの間から光が出てシェード１０内面を照射する。一方、シェード１０内面には各反射板による影（図３中で○印で示す部分Ｓ１〜Ｓ４）が生じる。すなわち、影Ｓ１は反射板２１によって生じ、影Ｓ２は反射板２２によって生じ、影Ｓ３は反射板２３によって生じ、影Ｓ４は反射板２４によって生じる。なお、反射板２５による影はシェード１０内面には現れない。ただし、これらの影Ｓ１〜Ｓ４に関しては、現実的には、各反射板２１〜２５の上下の反射面２１ａ〜２５ａで光が多重反射し、その反射光が反射板２１〜２５どうしの間からあらゆる方向に出るので、光源ランプ３０からの直射光が当たらない影Ｓ１〜Ｓ４の部分も照射される。さらに、図１の照明器具では、反射板２１〜２５を構成する反射面２１ａ〜２５ａの先端に立ち上がり面２１ｂ〜２５ｂを設けており、この立ち上がり面２１ｂ〜２５ｂが、図３に示すように、影Ｓ１〜Ｓ４の部分に光が当たるように光源ランプ３０からの光を反射する。
【００２５】
図３においては、立ち上がり面２１ｂによる反射光をＡ１及びＡ２で示す。立ち上がり面２１ｂによる反射光はＡ１とＡ２との間の領域を照射する。同様に、立ち上がり面２２ｂによる反射光はＢ１とＢ２との間の領域、立ち上がり面２３ｂによる反射光はＣ１とＣ２との間の領域、立ち上がり面２４ｂによる反射光はＤ１とＤ２との間の領域、立ち上がり面２５ｂによる反射光はＥ１とＥ２との間の領域をそれぞれ照射する。これによって、影Ｓ１〜Ｓ４の部分も含めてシェード１０内面を均一に照射でき、天井を十分な明るさで照明することができる。
【００２６】
さらに、図１の照明器具では、上述のとおり、反射板２１〜２５どうしの間から出た直射光、並びに反射面２１ａ〜２５ａ及びその先端の立ち上がり面２１ｂ〜２５ｂで反射される反射光によりシェード１０内面を照射するので、シェード１０に対する反射体２０の大きさを従来（図４）よりも大きくしても、問題なくシェード１０内面を均一に照射できる。したがって、必要に応じて従来よりも大型の光源ランプを使用することができるので、照明器具としての汎用性も向上する。
【００２７】
以上説明した本発明の実施形態では、上下に間隔をおいて５枚の反射板を配置したが、反射板の枚数は、照明器具の大きさや形状に応じて適宜設定される。また、反射板の反射面の傾斜角度及び立ち上がり面の角度も照明器具の大きさや形状、また照明範囲等に応じて適宜設定される。
【符号の説明】
【００２８】
１０  シェード
２０  反射体
２１〜２５  反射板
２１ａ〜２５ａ  反射面
２１ｂ〜２５ｂ  立ち上がり面
２６  連結具
３０  光源ランプ
４０  ランプ支持
４１  天板
５０  吊り具
６０  反射体
６１〜６３  傾斜部
【図１】
2012150922.tif 000003
【図２】
2012150922.tif 000004
【図３】
2012150922.tif 000005
【図４】
2012150922.tif 000006